(57)【要約】      （修正有）【課題】雨で濡れた傘を片手で簡単、素早くそして確実に傘の胴体に帯を巻き、そして似たような傘の中で自分の傘を識別するものである。【解決手段】片手の指が入るようなポケット３を作り、傘の胴体を軽く握るようにして傘を回転させ、ポケットの先端に有している面ファスナー４を接着させる。【選択図】図２
2009066402.tif 000002
【特許請求の範囲】
【請求項１】
伸縮自在のゴムテープが両端に指が入る大きさのポケットを有し、その両端の内面のそれぞれにマジックテープがついている。片手の親指、人差指又は中指をポケットの中に入れ、傘の胴体をつかむように握り、もう一方の手で傘の取手を回転させると簡単に傘を折り畳むことができる。
【請求項２】
使い捨てビニール傘にオリジナル傘ホールディングテープを巻くことで全く同じ傘でも簡単に識別することができる。
【発明の詳細な説明】
【発明の詳細な説明】
【技術分野】
【０００１】本発明は、傘の折り畳み用の帯紐にかかるものである。
【背景技術】
【０００２】従来、傘の胴体にマジックテープまたはホックを先端に有した紐がついているだけであった。
【発明が解決しようとする課題】
【０００３】特に、雨天時に、ずぶ濡れになった傘は畳み難く、畳む途中に傘の雨水が自分の衣類について非常に困ることがあった。使用している使い捨てビニール傘が同じ傘立てに複数差し込まれていると自分の傘を識別するのが困難であった。
【課題を解決する為の手段】
【０００４】上記課題を解決するために、片手の指が入るようなポケットを作り、傘の胴体を軽く握るようにして傘を回転させるとポケットの先端に有しているマジックテープが接着させる。
【発明を実施するための最良の形態】
【０００５】そして、傘ホールディングテープは、印刷を施すことによりいろいろなデザインの絵柄を楽しむことができる。
【発明の効果】
【０００６】本発明は、上記のとおりに構成されているので次の効果を奏する。
【０００７】請求項１については、ポケットに入れた指先で操作するため簡単、素早くそして確実に傘の胴体に巻きつけることができる。雨に濡れた傘であっても、自分の掌で巻くため雨水が飛び散ったりして衣類に付いたりすることが少なくなる。
【０００８】請求項２については、個体識別が簡単である。
【図面の簡単な説明】
【図１】傘ホールディングテープが傘の胴体を巻いているところ。
【図２】傘ホールディングテープである。
【図３】傘ホールディングテープを片手に装着して傘の胴体に巻きつけているところ。
【符号の説明】
１．傘の胴体
２．ゴム製帯
３．指ポケット
４．マジックテープ
【図１】
2009066402.tif 000003
【図２】
2009066402.tif 000004
【図３】
2009066402.tif 000005
【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
伸縮自在のゴムテープが両端に指が入る大きさのポケットを有し、その両端の内面のそれぞれにマジックテープ(登録商標）がついている。片手の親指、人差指または中指をポケットの中に入れ、傘の胴体をつかむように握り、もう一方の手で傘の取手を回転させると簡単に傘を折畳むことができる。
【請求項２】
使い捨てビニール傘に傘ホールディングテープを巻くことで全く同じ傘でも簡単に識別できる。傘ホールディングテープのデザイン、配色を工夫することで独自性を出すことができる。
【請求項３】
傘ホールディングテープの本体ゴムテープの内面に水分の吸水性に富んだ綿モップ、スポンジ等を重ね合わせて貼り付けることにより吸水性をより高くすることができる。傘を折畳んだ後、水を嫌う自動車の中のソファーや床、そして屋内に持ち込んでも水滴が流れ出にくい。綿モップ、スポンジを貼り付けた帯幅は１０〜１５cm。
【手続補正２】
【補正対象書類名】明細書
【補正対象項目名】全文
【補正方法】変更
【補正の内容】
【発明の詳細な説明】
【技術分野】
【０００１】      本発明は、傘の折り畳み用の結束帯紐にかかるものである。  
【背景技術】
【０００２】      従来、傘の胴体部分にホック、マジックテープ(登録商標）、フックを先端に有した帯紐がついているだけであった。【０００３】      この改善策として、片手の指が入るようなポケットを作り、そのポケットの中に指を入れて傘の胴体を軽く握るようにし、もう一方の手で傘の取手を回転させて折畳んでポケットの先端についているマジックテープ(登録商標）を接着させて結束する。そして、降雨時には内面についている綿モップ、スポンジで傘の胴体を覆うようにして雨水を吸収する。
【発明の開示】
【発明が解決しようとする課題】
【０００４】      解決しようとする問題は、雨天時のずぶ濡れになった傘は折畳み難く傘の雨水が衣類を濡らして非常に困った。自動車の中に持ち込むときには雨水が車内のソファーや床に飛び散らないように苦労した。使い捨てビニール傘を使用している時は、傘立てに複数差し込まれていると自分の傘を識別するのが困難なことがあった。
【課題を解決するための手段】
【０００５】      本発明は、先端に指ポケットを有したゴム状紐でその先にマジックテープ(登録商標）で指ポケット同士が接着するようにする。雨水対策としては、ゴムの帯の内側に綿モップ、スポンジ等の吸湿性に富んだ材質のものを取り付けて雨水が飛び散らないようにする。デザイン的にもオリジナル性が高い
【発明の効果】
【０００６】      本発明は傘を簡単に折畳むことができ、雨天時は吸収性の良い材質の綿モップ、スポンジで雨水を吸いとり、ゴム状紐はオリジナル性が高く識別が簡単である。
【発明を実施するための最良の形態】
【０００７】      オリジナル性の高い絵柄を印刷し他の傘と簡単に区別がつくような傘ホールディングテープである。
【実施例１】
【０００８】      図１は、傘ホールディングテープが傘の胴を巻いているところ。
【実施例２】
【０００９】      図２は、傘ホールディングテープを傘から外したところ。
【実施例３】
【００１０】      図３は、傘ホールディングテープを片手で装着しているところ。
【実施例４】
【００１１】      図４は、自動車、屋内用で帯の内側は吸水性の良い綿モップやスポンジ仕様になっていて水が飛び散らない。帯幅は１０〜１５センチ。
【産業上の利用可能性】
【００１２】      本発明の形態は、結束が簡単にできる他、降雨時に傘を畳んで自動車に乗り込むとき、雨水が衣類や車内のソファー、床に飛び散って困った状況を解決する。
【図面の簡単な説明】
【００１３】
【図１】傘を結束しているところ。（実施例１）
【図２】傘ホールディングテープの構造を解説した図である。（実施例２）
【図３】傘ホールディングテープに片手の指をさしこんで傘の胴体を握って折畳んでいるところ。（実施例３）
【図４】自動車内、屋内用の傘ホールディングテープの構造を解説した図である。（実施例４）
【符号の説明】
【００１４】      1.  傘の胴体      2.  ゴム製帯      3.  指ポケット      4.  マジックテープ(登録商標）      5.  モップ状の綿      6.  ２cm      7.  10〜15cm
【手続補正４】
【補正対象書類名】図面
【補正対象項目名】図４
【補正方法】追加
【補正の内容】
【図４】
2009066402.tif 000006